(57)【要約】  【課題】  平面状ディスプレイパネルと組合わせて用いられかつ複数のスピーカを有する音声再生装置において、広がり感やサラウンド感を不必要とする場合に、その不適合性を解消する。  【解決手段】  映像を再生するディスプレイパネル１６と組合わせて用いられる音声再生装置であってサラウンドスピーカ１３、１４を含む複数のスピーカ１１〜１４を用いた音声再生装置において、とくに深夜にテレビのニュースを観る場合に、フロントスピーカ１１、１２に対する音声信号の供給を遮断し、本来フロントスピーカ１１、１２によって再生すべき音声信号をリヤスピーカ１３、１４に供給してリスナ２０に対して近い位置から音声を発生させる。【選択図】  図２
2005045533.tif 000002
【特許請求の範囲】
【請求項１】
左右一対のフロントスピーカと左右一対のリヤスピーカまたはサラウンドスピーカとを有する音声再生装置において、
前記左右一対のフロントスピーカに供給すべき音声信号を前記左右一対のリヤスピーカまたはサラウンドスピーカに供給する切換え手段を設けたことを特徴とする音声再生装置。
【請求項２】
前記切換え手段は前記左右一対のフロントスピーカに供給すべき音声信号を前記左右一対のリヤスピーカまたはサラウンドスピーカに供給するときに、前記左右一対のフロントスピーカが音声を再生しないようにすることを特徴とする請求項１に記載の音声再生装置。
【請求項３】
前記切換え手段が前記左右一対のリヤスピーカまたはサラウンドスピーカに音声信号を供給する信号ラインに接続された切換えスイッチであることを特徴とする請求項１に記載の音声再生装置。
【請求項４】
左右一対のフロントスピーカと左右一対のリヤスピーカまたはサラウンドスピーカとを有する音声再生装置において、
前記左右一対のフロントスピーカに供給すべき音声信号を前記左右一対のリヤスピーカまたはサラウンドスピーカに供給するとともに、前記左右一対のリヤスピーカまたはサラウンドスピーカに供給すべき音声信号を前記左右一対のフロントスピーカに供給するように切換える切換え手段を設けたことを特徴とする音声再生装置。
【請求項５】
前記切換え手段が前記左右一対のフロントスピーカおよび前記左右一対のリヤスピーカまたはサラウンドスピーカに音声信号を供給する信号ラインに接続された切換えスイッチであることを特徴とする請求項４に記載の音声再生装置。
【請求項６】
前記切換えスイッチと直列に可変抵抗が接続され、該可変抵抗によって音声信号の大きさを調整することを特徴とする請求項４に記載の音声再生装置。
【請求項７】
さらに低音用スピーカを備え、前記切換え手段による切換えに連動して前記低音用スピーカの音声出力の大きさを調整することを特徴とする請求項４に記載の音声再生装置。
【請求項８】
左右一対のフロントスピーカと左右一対のリヤスピーカまたはサラウンドスピーカとを有する音声再生装置において、
ピロースピーカと切換え手段とを設け、前記切換え手段を切換えると前記左右一対のフロントスピーカに供給すべき音声信号が前記ピロースピーカに供給されるとともに、前記左右一対のフロントスピーカおよび前記左右一対のリヤスピーカまたはサラウンドスピーカに対する音声信号が遮断されることを特徴とする音声再生装置。
【請求項９】
前記切換え手段が前記ピロースピーカに音声信号を供給する信号ラインに接続された開閉スイッチであることを特徴とする請求項８に記載の音声再生装置。
【請求項１０】
前記ピロースピーカがソファーの背もたれに取付けられることを特徴とする請求項８に記載の音声再生装置。
【発明の詳細な説明】
【技術分野】
【０００１】
本発明は音声再生装置に係り、とくに少なくとも左右一対のフロントスピーカと左右一対のリヤスピーカまたはサラウンドスピーカとを有する音声再生装置に関する。
【背景技術】
【０００２】
広がり感のある高音質の美しい音声によって音楽等を再生するために、多チャンネル型の音声再生装置が提供されている。例えば前方側の左右一対のフロントスピーカと、後方側の左右一対のリヤスピーカあるいはサラウンドスピーカとによって構成される音声再生装置が提案されている。さらには左右一対のフロントスピーカと左右一対のリヤスピーカとフロント側のセンタスピーカと、低音用のウーハ等によって構成される５．１チャンネルの音声再生装置が提案されている。
【０００３】
このような多チャンネル型の音声再生装置は、平面状をなすディスプレイパネルと組合わせて用いられることが多い。とくに大型のディスプレイパネルと併用して用いる場合には、リスナはディスプレイパネルから比較的離れた位置でこのディスプレイパネルの映像を観ながら音声を楽しむことになる。このことはフロントスピーカとリスナとの間の距離が大きくなることを意味する。従ってとくにフロントスピーカの音量を上げないとフロントスピーカからの音声を十分に聴くことができない。このために４チャンネルあるいは５．１チャンネルの音声再生装置においては、左右のフロントスピーカの音声出力が比較的大きくなる。
【０００４】
このようにフロントスピーカの音声出力が大きいために、とくに夜間のように周囲が静かな場合には、フロントスピーカの音声がうるさく感ずる可能性がある。また上記ディスプレイパネルによってテレビ放送のニュース等を観る場合には、音声出力に広がり感を持たす必要はとくにない。従って上述のような多チャンネル型の音声再生装置は、夜間や、テレビの音声を再生する場合であってとくにニュース等を観る場合等には、必ずしも最適なオーディオ環境を構成しない。
【０００５】
なお本願に類似する先行技術として、特開平２−２９９３９５号公報がある。この公報には、複数のソースのオーディオ信号をスイッチの操作によりソースチャンネル切換え回路を制御してフロント側、リア側のチャンネルにそれぞれ切換えることにより、同時に複数のソース信号を、フロント側、リア側のそれぞれのスピーカに出力するように制御するコントロール回路を設けたものであって、コントロール回路は、スイッチの操作により現在出力されているソース以外のソースに電源を入れるとともに、ソースチャンネル切換え回路の切換え制御を行なって２種類のソース信号を、フロント側とリヤ側とに分けることにより、同時に複数のソースのオーディオ信号をフロント側とリヤ側のスピーカに出力するようにした車載用オーディオ装置が開示されている。
【０００６】
このようなオーディオ装置によって、２種類のオーディオソースを同時にフロント側とリヤ側のスピーカに分けて再生することが可能になるものの、上述の４チャンネルあるいは５．１チャンネルのオーディオ装置を夜間聴く場合におけるフロントスピーカのうるささやテレビのニュースを聴く場合における音声再生装置の不適合の問題を解消することができない。
【０００７】
【特許文献１】特開平２−２９９３９５号公報
【特許文献２】特開２００２−１９１１００号公報
【特許文献３】特開平１１−４５００号公報
【特許文献４】特開昭６２−２８３７９９号公報
【発明の開示】
【発明が解決しようとする課題】
【０００８】
本願発明の課題は、少なくとも左右一対のフロントスピーカと左右一対のリヤスピーカまたはサラウンドスピーカとを有する再生装置によって夜間テレビを楽しむ場合に、とくにフロントスピーカの音声出力がうるさく感じないようにした音声再生装置を提供することである。
【０００９】
本願のさらに別の課題は、テレビ放送のニュース等のような音像の広がり感が必要でない音声を再生する場合に、多チャンネル型の音声再生装置の不適合を解消することである。
【課題を解決するための手段】
【００１０】
本願の主要な発明は、左右一対のフロントスピーカと左右一対のリヤスピーカまたはサラウンドスピーカとを有する音声再生装置において、
前記左右一対のフロントスピーカに供給すべき音声信号を前記左右一対のリヤスピーカまたはサラウンドスピーカに供給する切換え手段を設けたことを特徴とする音声再生装置に関するものである。
【００１１】
ここで前記切換え手段は前記左右一対のフロントスピーカに供給すべき音声信号を前記左右一対のリヤスピーカまたはサラウンドスピーカに供給するときに、前記左右一対のフロントスピーカが音声を再生しないようにすることが好ましい。また前記切換え手段が前記左右一対のリヤスピーカまたはサラウンドスピーカに音声信号を供給する信号ラインに接続された切換えスイッチであることが好ましい。
【００１２】
本願の別の主要な発明は、左右一対のフロントスピーカと左右一対のリヤスピーカまたはサラウンドスピーカとを有する音声再生装置において、
前記左右一対のフロントスピーカに供給すべき音声信号を前記左右一対のリヤスピーカまたはサラウンドスピーカに供給するとともに、前記左右一対のリヤスピーカまたはサラウンドスピーカに供給すべき音声信号を前記左右一対のフロントスピーカに供給するように切換える切換え手段を設けたことを特徴とする音声再生装置に関するものである。
【００１３】
ここで前記切換え手段が前記左右一対のフロントスピーカおよび前記左右一対のリヤスピーカまたはサラウンドスピーカに音声信号を供給する信号ラインに接続された切換えスイッチであることが好ましい。また前記切換えスイッチと直列に可変抵抗が接続され、該可変抵抗によって音声信号の大きさを調整することが好ましい。またさらに低音用スピーカを備え、前記切換え手段による切換えに連動して前記低音用スピーカの音声出力の大きさを調整することが好ましい。
【００１４】
本願のさらに別の主要な発明は、左右一対のフロントスピーカと左右一対のリヤスピーカまたはサラウンドスピーカとを有する音声再生装置において、
ピロースピーカと切換え手段とを設け、前記切換え手段を切換えると前記左右一対のフロントスピーカに供給すべき音声信号が前記ピロースピーカに供給されるとともに、前記左右一対のフロントスピーカおよび前記左右一対のリヤスピーカまたはサラウンドスピーカに対する音声信号が遮断されることを特徴とする音声再生装置に関するものである。
【００１５】
ここで前記切換え手段が前記ピロースピーカに音声信号を供給する信号ラインに接続された開閉スイッチであることが好ましい。また前記ピロースピーカがソファーの背もたれに取付けられることが好ましい。
【発明の効果】
【００１６】
本願の主要な発明によれば、切換え手段によって左右一対のリヤスピーカまたはサラウンドスピーカによって、左右一対のフロントスピーカに供給すべき音声信号が再生される。従ってリスナは遠い位置のフロントスピーカで再生された音声を聴くことなく、近い位置に配されたリヤスピーカまたはサラウンドスピーカによって音声を聴くことが可能になり、フロントスピーカから必要以上に大きな音量の音声を再生する必要がなくなる。
【００１７】
本願の別の主要な発明によれば、切換え手段によって一対のフロントスピーカと一対のリヤスピーカまたはサラウンドスピーカとに供給される音声信号を逆にすることが可能になる。従ってリスナがリヤスピーカまたはサラウンドスピーカに近い位置で広がり感の必要でない音声を聴く場合に、リヤスピーカあるいはサラウンドスピーカによって本来であればフロントスピーカで再生される音声を聴くことができるとともに、フロントスピーカによって本来であればリヤスピーカあるいはサラウンドスピーカで再生される音声を再生させて聴くことが可能になる。
【００１８】
本願のさらに別の主要な発明によれば、切換え手段を切換えることによってピロースピーカによって本来であれば左右一対のフロントスピーカから再生される音声を聴くことが可能になる。しかもこのときに左右一対のフロントスピーカと左右一対のリヤスピーカまたはサラウンドスピーカが音声を再生しなくなるために、ピロースピーカによって最小限の音量で音声を聴くことが可能になる。
【発明を実施するための最良の形態】
【００１９】
図１および図２は第１の実施の形態の音声再生装置を示しており、この音声再生装置は図１および図２に示すように左側のフロントスピーカ１１、右側のフロントスピーカ１２、左側のリヤスピーカ１３、右側のリヤスピーカ１４の４つのスピーカから構成される。なお左右のリヤスピーカ１３、１４はサラウンドスピーカを兼用している。そしてこれらのスピーカ１１〜１４に音声信号を供給するためのオーディオソース１５を備えるとともに、左右のフロントスピーカ１１、１２間には平板状をなすディスプレイパネル１６が立設して配置される。そして上記ディスプレイパネル１６に向い合うようにリスナ２０は４つのスピーカ１１〜１４の間に配されるソファー２１に座ってディスプレイパネル１６を見ながら４つのスピーカ１１〜１４によって再生される音声を聴くことになる。
【００２０】
図２はこのような音声再生装置の回路ブロックの構成を示すものであって、オーディオソース１５としてラジオチューナ２５、テレビチューナ２６、ディスクプレーヤ２７、テーププレーヤ２８等が用意され、これらがセレクトスイッチ２９を介してＡ／Ｄ変換器３０に接続される。そしてＡ／Ｄ変換器３０の次段にデコーダ・Ｄ／Ａ変換器３１が接続される。
【００２１】
デコーダ・Ｄ／Ａ変換器３１のＦＬ端子は可変抵抗３５およびアンプ３６の直列回路を通して左側のフロントスピーカ１１に接続される。デコーダ・Ｄ／Ａ変換器３１のＦＲ端子は抵抗３７およびアンプ３８の直列回路を介して右側のフロントスピーカ１２に接続される。デコーダ・Ｄ／Ａ変換器３１のＳＬ端子は可変抵抗３９、アンプ４０の直列回路を介して左側のリヤスピーカ１３に接続される。さらにデコーダ・Ｄ／Ａ変換器３１のＳＲ端子は可変抵抗４１、アンプ４２の直列回路を介して右側のリヤスピーカ１４に接続される。
【００２２】
上記デコーダ・Ｄ／Ａ変換器３１のＳＬ端子と可変抵抗３９との間には切換えスイッチ４５が設けられ、この切換えスイッチ４５によってその可動接点をデコーダ・Ｄ／Ａ変換器３１のＳＬ端子とＦＬ端子とに切換えるようにしている。またデコーダ・Ｄ／Ａ変換器３１のＳＲ端子と可変抵抗４１との間には切換えスイッチ４６が接続され、この切換えスイッチ４６の可動接点がデコーダ・Ｄ／Ａ変換器３１のＳＲ端子とＦＲ端子とに切換えるようにしている。
【００２３】
さらにこのシステムはスピーカ１１〜１４の切換えを行なうための操作入力部４７を備えるとともに、この操作入力部４７が制御ユニット４８に接続されている。制御ユニット４８は上記一対の切換えスイッチ４５、４６の切換えの制御を行ない、さらに４つの可変抵抗３５、３７、３９、４１のボリューム調整を行なうようにしている。
【００２４】
次に以上のような構成の装置の動作について説明する。通常の使用状態、すなわち４つのスピーカ１１〜１４をそれぞれ本来の機能を利用して再生する場合には、リスナ２０による操作入力部４７の選択操作に応じて、制御ユニット４８が図２に示す切換えスイッチ４５、４６をそれぞれ点線で示すようにデコーダ・Ｄ／Ａ変換器３１のＳＬ端子およびＳＲ端子側に切換える。また４つの可変抵抗３５、３７、３９、４１のレベルを正常な適正レベルに設定する。
【００２５】
このような状態においてディスプレイパネル１６によってテレビチューナからの映像信号、ディスクプレーヤ２７によって再生される映像信号、テーププレーヤ２８によって再生される映像信号の何れかを再生する。そしてこのときに同時に左右のフロントスピーカ１１、１２およびリヤスピーカ１３、１４によって音声を再生し、通常の使用状態でディスプレイパネル１６によって映像を再生しながら音声を楽しむことが可能になる。
【００２６】
これに対して例えば深夜にディスプレイパネル１６でテレビ放送のニュース等を観る場合には、リスナ２０は操作入力部４７を切換え、制御ユニット４８によって切換えスイッチ４５、４６をそれぞれデコーダ・Ｄ／Ａ変換器３１のＦＬ端子およびＦＲ端子にそれぞれ切換える。またこのときに可変抵抗３５、３７を大きく絞り、これによってフロントスピーカ１１、１２に対する音声信号の供給を実質的に遮断する。
【００２７】
従ってこの場合には、テレビチューナ２６で得られた音声信号をＡ／Ｄ変換器３０によってデジタル変換し、デコーダ・Ｄ／Ａ変換器３１によって信号処理を行なった後に、左右一対のリヤスピーカ１３、１４によって再生することになる。とくにここで本来であればフロントスピーカ１１、１２で再生されるべきフロント側の音声信号が左右一対のリヤスピーカ１３、１４によって再生されるとともに、フロントスピーカ１１、１２は音声を再生しなくなる。
【００２８】
従って深夜にテレビのニュースを観る場合に、その音声をリスナ２０の背後であって近くにある左右一対のリヤスピーカ１３、１４から本来であればフロントスピーカ１１、１２が再生する音声信号を聴くことが可能になる。従って夜間静かにテレビのニュースを聴くことが可能になるとともに、不必要なサラウンドの迫力があって広がり感のある音声を再生しなくなる。すなわち深夜にテレビのニュースを観る場合に、その音声の再生の不適合性を解消できるようになる。
【００２９】
次に第２の実施の形態を図３および図４によって説明する。この実施の形態は左右一対のフロントスピーカ１１、１２および左右一対のリヤスピーカ１３、１４に加え、さらに低音用スピーカであるウーハ５１を加え、５つのスピーカから音声再生装置を構成している。そしてデコーダ・Ｄ／Ａ変換器３１のＷ端子に可変抵抗５２とアンプ５３の直列回路を介してウーハ５１を接続している。
【００３０】
またこの実施の形態においてはリヤスピーカ１３、１４に音声信号を供給する信号ラインに接続された切換えスイッチ４５、４６の他に、フロントスピーカ１１、１２に音声信号を供給する信号ラインにも切換えスイッチ５５、５６を接続している。切換えスイッチ５５はデコーダ・Ｄ／Ａ変換器３１のＦＬ端子とＳＬ端子との切換えを行なうものである。これに対して切換えスイッチ５６はデコーダ・Ｄ／Ａ変換器３１のＦＲ端子とＳＲ端子との切換えを行なうものである。
【００３１】
以上のような構成において、このシステムを用いて通常の使用状態で音声を聴く場合には、リスナ２０が操作入力部４７を操作し、制御ユニット４８によって４つの切換えスイッチ５５、５６、４５、４６をそれぞれ図４に示す点線位置に切換える。すなわち切換えスイッチ５５の可動接点をデコーダ・Ｄ／Ａ変換器３１のＦＬ端子側に切換える。また切換えスイッチ５６の可動接点をデコーダ・Ｄ／Ａ変換器３１のＦＲ接点に切換える。また切換えスイッチ４５の可動接点をデコーダ・Ｄ／Ａ変換器３１のＳＬ端子に切換える。また切換えスイッチ４６の可動接点をデコーダ・Ｄ／Ａ変換器３１のＳＲ接点に切換える。
【００３２】
またこのときには操作入力部４７の指示に従って制御ユニット４８が５つの可変抵抗３５、３７、３９、４１、５２のレベルをほぼ適正な中間位置に設定する。これによって左右一対のフロントスピーカ１１、１２によって前方側の音声信号が再生され、左右一対のリヤスピーカ１３、１４によってサラウンド音が再生される。またウーハ５１によって低音域の音声が再生される。このために例えばディスクプレーヤ２７によって再生された映像信号をディスプレイパネル１６で再生して映像を楽しむ場合に、広がり感のあってサラウンドの迫力ある音声を再生することが可能になる。
【００３３】
これに対して夜間静かに音楽を楽しむような場合には、リスナ２０が操作入力部４７を操作して制御ユニット４８によって切換えスイッチ５５、５６、４５、４６をそれぞれ図４に示す実線位置に切換える。すなわち切換えスイッチ５５の可動接点をデコーダ・Ｄ／Ａ変換器３１のＳＬ端子に切換える。また切換えスイッチ５６の可動接点をデコーダ・Ｄ／Ａ変換器３１のＳＲ端子に切換える。また切換えスイッチ４５の可動接点をデコーダ・Ｄ／Ａ変換器３１のＦＬ接点に切換える。また切換えスイッチ４６の可動接点をデコーダ・Ｄ／Ａ変換器３１のＦＲ端子に切換える。またこのときに可変抵抗３５、３７、３９、４１、５２のレベルについても制御ユニット４８を介して調整する。すなわち使用する環境やリスナ２０の好みに応じて適正な音量レベルとなるようにこれらの可変抵抗３５、３７、３９、４１、５２の抵抗値を調整する。
【００３４】
従ってこの場合には左右一対のフロントスピーカ１１、１２と左右一対のリヤスピーカ１３、１４とが互いに逆の音声信号を再生する。すなわち本来であればフロントスピーカ１１、１２が再生すべき音声信号をリヤスピーカ１３、１４が再生するとともに、本来であればリヤスピーカ１３、１４が再生すべきサラウンド音をフロントスピーカ１１、１２によって再生する。このようなフロントスピーカ１１、１２とリヤスピーカ１３、１４との音声出力の逆転を行なうことによって、サラウンド効果を持たせながらしかもリスナ２０に対して安らぎ感を与えることができる。従って就寝前に静かに音楽を聴くような場合に好適な音声の再生が行なわれる。なおウーハ５１は音声が響くので、出力を抑えることが好ましい。
【００３５】
次に第３の実施の形態を図５および図６によって説明する。この実施の形態は左右一対のフロントスピーカ１１、１２と左右一対のリヤスピーカ１３、１４と、ピロースピーカ５８とによって音声再生装置を構成したものである。ピロースピーカ５８は図５に示すようにソファー２１の背もたれの部分に取付けられる。
【００３６】
図６に示すデコーダ・Ｄ／Ａ変換器３１のＰ端子には可変抵抗５９とアンプ６０の直列回路を介してピロースピーカ５８に接続される。そして可変抵抗５９とデコーダ・Ｄ／Ａ変換器３１のＰ端子との間に開閉スイッチ６１が接続される。
【００３７】
ここでも操作入力部４７の指示によって制御動作を行なう制御ユニット４８を備えており、この制御ユニット４８が開閉スイッチ６１の開閉制御を行なう。さらに制御ユニット４８が左右一対のフロントスピーカ１１、１２の音声信号供給回路に接続された可変抵抗３５、３７および左右一対のリヤスピーカ１３、１４の音声供給回路に接続された可変抵抗３９、４１のレベル調整を行なうようになっている。
【００３８】
以上のような構成において、通常の使用状態においては、操作入力部４７の指示に従って、制御ユニット４８が開閉スイッチ６１を開放する。従って通常はピロースイッチ５８に対して音声信号が供給されない状態で、左右一対のフロントスピーカ１１、１２と左右一対のリヤスピーカ１３、１４とによって音声の再生が行なわれる。とくにリヤスピーカ１３、１４がサラウンド効果を発生し、全体としてサラウンドの迫力があってしかも広がり感のある音声を再生する。
【００３９】
これに対して深夜に静かにテレビを楽しむような場合には、リスナ２０が操作入力部４７を操作し、制御ユニット４８によってフロントスピーカ１１、１２に対する音声信号を可変抵抗３５、３７を絞り込むことによって実質的に遮断する。また制御ユニット４８によって可変抵抗３９、４１を絞り込むことによって、リヤスピーカ１３、１４の音声を絞り込む。従って左右一対のフロントスピーカ１１、１２および左右一対のリヤスピーカ１３、１４に対しては実質的に音声信号の供給が遮断された状態になる。
【００４０】
そして制御ユニット４８は開閉スイッチ６１を閉成し、可変抵抗５９を中間の適正なレベルに設定する。従って音声信号はピロースピーカ５８のみから再生されることになる。ピロースピーカ５８には例えば左右のフロントスピーカ１１、１２に供給されるべき音声信号を重畳した音声信号が供給される。なお左右一対のピロースピーカ５８を設け、これらのピロースピーカをリスナ２０に対してその左右に位置するように配置することも可能である。
【００４１】
以上本願に含まれる発明を図示の実施の形態によって説明したが、本願に含まれる発明は上記実施の形態によって限定されることなく、本願に含まれる発明の技術的思想の範囲内で各種の変更が可能である。例えば上記実施の形態におけるスピーカの数や配置等については各種の変更が可能である。また操作入力部４７および制御ユニット４８の機能を、ディスプレイパネルから成るテレビジョン受像機のリモートコマンダに組込むようにし、ディスプレイパネル１６上に選択するスピーカの表示を行なうようにしてもよい。
【産業上の利用可能性】
【００４２】
本願発明は、少なくとも左右一対のフロントスピーカと左右一対のリヤスピーカまたはサラウンドスピーカとを有する多チャンネル型のオーディオ装置に広く適用可能である。
【図面の簡単な説明】
【００４３】
【図１】第１の実施の形態の音声再生装置を示す平面図である。
【００４４】
【図２】同音声再生装置のシステム構成を示すブロック図である。
【００４５】
【図３】第２の実施の形態の音声再生装置の平面図である。
【００４６】
【図４】同音声再生装置のシステム構成を示すブロック図である。
【００４７】
【図５】第３の実施の形態の音声再生装置の平面図である。
【００４８】
【図６】同音声再生装置のシステム構成を示すブロック図である。
【符号の説明】
【００４９】
１１‥‥  フロントスピーカ（Ｌ）、１２‥‥フロントスピーカ（Ｒ）、１３‥‥リヤスピーカ（Ｌ）、１４‥‥リヤスピーカ（Ｒ）、１５‥‥オーディオソース、１６‥‥ディスプレイパネル、２０‥‥リスナ、２１‥‥ソファー、２５‥‥ラジオチューナ、２６‥‥テレビチューナ、２７‥‥ディスクプレーヤ、２８‥‥テーププレーヤ、２９‥‥セレクトスイッチ、３０‥‥Ａ／Ｄ変換器、３１‥‥デコーダ・Ｄ／Ａ変換器、３５‥‥可変抵抗、３６‥‥アンプ、３７‥‥可変抵抗、３８‥‥アンプ、３９‥‥可変抵抗、４０‥‥アンプ、４１‥‥可変抵抗、４２‥‥アンプ、４５、４６‥‥切換えスイッチ、４７‥‥操作入力部、４８‥‥制御ユニット、５１‥‥ウーハ（低音用スピーカ）、５２‥‥可変抵抗、５３‥‥アンプ、５５、５６‥‥切換えスイッチ、５８‥‥ピロースピーカ、５９‥‥可変抵抗、６０‥‥アンプ、６１‥‥開閉スイッチ
【図１】
2005045533.tif 000003
【図２】
2005045533.tif 000004
【図３】
2005045533.tif 000005
【図４】
2005045533.tif 000006
【図５】
2005045533.tif 000007
【図６】
2005045533.tif 000008